(57)【要約】【課題】眼鏡用のバネ丁番に於いて、中のバネの折曲を少なくし、且つ、交換を容易にする事。【解決手段】ツル合口部（１１）から後方に向う入口部にメネジが切られた筒状中空部（１５）と、そして該合口部からツル内側外周壁に後方に向かい連設される開口切欠き部（１７）とを先端部に有するツル（１０）と、前記筒状中空部に摺動可能に嵌合する筒体（２０）と、該筒体開口端部外周壁に立設され前記ツル先端部開口切欠き部に嵌合し、且つ、ヨロイ側二枚コマに回動可能に連結される一枚コマ（２２）を有する筒型摺動体（２４）と、そして、前記ツル合口部入口部メネジ部に螺合可能にされるネジ付き固定子（３１）とその後方に連設され前記筒体内部に摺動可能に収納されバネストッパーともなり該固定子より小径となる摺動案内子（３２）とからなる固定部品（３０）と、前記摺動案内子の後方に置かれ前記筒体内部に収納されるバネ（４０）と、以上から構成した眼鏡用バネ丁番機構の提供。【選択図】図１
2011175222.tif 000002
【特許請求の範囲】
【請求項１】
ツル合口部から後方に向う入口部にメネジが切られた筒状中空部と、そして該合口部からツル内側外周壁に後方に向かい前記筒状中空部に連設される開口切欠き部とを先端部に有するツルと、前記筒状中空部に摺動可能に嵌合する筒体と、該筒体開口端部外周壁に立設され前記ツル先端部開口切欠き部に嵌合し、且つ、ヨロイ側二枚コマに回動可能に連結される一枚コマを有する筒型摺動体と、そして、前記ツル合口部入口部メネジ部に螺合可能にされるネジ付き固定子とその後方に連設され前記筒体内部に摺動可能に収納されバネストッパーともなり該固定子より小径となる摺動案内子とからなる固定部品と、前記摺動案内子の後方に置かれ前記筒体内部に収納されるバネと、以上から構成され、ツルを開いた状態から更にツルを外側に拡げた場合、ツルの筒状中空部が筒体外側を摺動し、バネが圧縮されツルが外側に引っ張られ、そしてその後、バネの復元力によりツルが弾性的に戻る様にされた事を特徴とする眼鏡用バネ丁番機構。
【請求項２】
前記ネジ付き固定子の先端合口部面にネジ回し道具嵌合用の溝が設けられ、該ネジ回し道具だけで簡単に中の部品を交換出来るようにされた事を特徴とする請求項１記載の眼鏡用バネ丁番機構。
【発明の詳細な説明】
【技術分野】
【０００１】  本発明は眼鏡用のバネ丁番の機構に関する。
【背景技術】
【０００２】  従来、眼鏡を掛ける際に、ツルが拡がり顔に掛け易い様に、そして、自動的に戻る様にバネ丁番の機構が良く用いられて来ている。そしてその多くは金属製のツルにロウ付け等で部品を固着してある。例えば、特開平０７−３０１７７３（特許文献１）の様に、ツルにバネ入りヒンジケースが溶接されている物が多く使用されてきている。そして、又、ツルにケースを取り付けた後にバネ等をケースに収納する方法も別途開示されている、例えば、登録実用新案第３０１８８７０（特許文献２）のように、そして分解解除する際には、解除ピンにより係止ピースを外し分解するようにされている。【０００３】
【特許文献１】特開平０７−３０１７７３
【特許文献２】登録実用新案第３０１８８７０
【発明の開示】
【発明が解決しようとする課題】
【０００４】  しかしながら、バネ丁番に使用されているバネは、非常に小さくて、大きな力が掛かる事により折れ易くなっている上に、図６の特許文献１のように、金属製のツルにバネ入りヒンジケースが溶接されている物は、文献に記されているように確かに部品点数が少なくて済むが、ロウ付け又は溶接による熱により、焼入れしてある収納バネの一部が溶接等による熱の為に焼きなまし状態になり、使用中に折曲する確率が更に高くなっていた。又、図７の特許文献２の様に後からバネ等の部品をケースに入れる方法では上記バネの焼きなまし状態を生じさせる事はないが、解除用のピン穴にゴミや皮脂が詰まったりし、それが何の穴か、穴が有るのかないのかも解らなくなってしまい、そして、解除ピンとしてどのようなものを使用すれば良いのか、又、中の構造も良く解らないので、初めての人には取り扱いが難しかった。
【課題を解決するための手段】
【０００５】  上記課題を解決する為に、本発明に於いては、ツル合口部から後方に向う入口部にメネジが切られた筒状中空部と、そして該合口部からツル内側外周壁に後方に向かい筒状中空部に連設される開口切欠き部を先端部に有するツルと、前記筒状中空部に摺動可能に嵌合する筒体と、該筒体開口端部外周壁に立設され前記ツル先端部開口切欠き部に嵌合し、且つ、ヨロイ側二枚コマに回動可能に連結される一枚コマを有する筒型摺動体と、そして、前記ツル合口部内側入口部メネジ部に螺合可能にされるネジ付き固定子とその後方に連設され前記筒体内部に摺動可能に収納されバネストッパーともなり該固定子より小径となる摺動案内子とからなる固定部品と、前記摺動案内子の後方に置かれ前記筒体内部に収納されるバネと、以上から構成され、ツルを開いた状態から更にツルを外側に拡げた場合、ツルの筒状中空部が筒体外側を摺動しバネが圧縮されツルが外側に引っ張られ、バネの復元力によりツルが弾性的に戻る様にされたバネ丁番機構の提供を図った。【０００６】そして、更に、前記ネジ付き固定子の先端合口部面にネジ回し道具嵌合用の溝が設けられ、ネジ回し道具だけで簡単に中の部品を交換出来るようにした。
【発明の効果】
【０００７】  上記機構を採用する事により、バネを最後に入れてネジ止めするだけなので熱が加わる事無く作業が済む。その事によりバネの寿命が延び、弾性伸縮が安定する。そして、万が一バネが折曲したとしても、ツルを閉じた状態で合口部のネジを緩めるだけなので誰でも簡単にバネ等の部品の処理交換出来る事となった。
【図面の簡単な説明】
【０００８】
【図１】本発明の実施例の要部分解斜視図
【図２】本発明の実施例のツル側一部断面平面図
【図３】本発明の実施例のヨロイと連結した平面図
【図４】本発明の実施例の過開拡した状態の平面図
【図５】本発明の実施例の分解の仕方説明図
【図６】従来図
【図７】従来図
【発明を実施するための最良の形態】
【０００９】  ツル合口部から後方に向う入口部にメネジが切られた筒状中空部と、そして該合口部からツル内側外周壁に後方に向かい筒状中空部に連設される開口切欠き部を先端部に有するツルと、前記筒状中空部に摺動可能に嵌合する筒体と、該筒体開口端部外周壁に立設され前記ツル先端部開口切欠き部に嵌合し、且つ、ヨロイ側二枚コマに回動可能に連結される一枚コマを有する筒型摺動体と、そして、前記ツル合口部内側入口部メネジ部に螺合可能にされるネジ付き固定子とその後方に連設され前記筒体内部に摺動可能に収納されバネストッパーともなり該固定子より小径となる摺動案内子とからなる固定部品と、前記摺動案内柱の後方に置かれ前記筒体内部に収納されるバネと、以上から構成され、ツルを開いた状態から更にツルを外側に拡げた場合、ツルの筒状中空部が筒体外側を摺動し、バネが圧縮され、ツルが外側に引っ張られバネの復元力によりツルが弾性的に戻る様にされた眼鏡用バネ丁番機構。
【実施例１】
【００１０】  図１は本発明の実施例の要部分解斜視図であり、ツル合口部１１から後方に向う入口部１３にメネジ１４が切られた筒状中空部１５と、そして該合口部１１からツル内側１２外周壁１６に後方に向かい筒状中空部１５に連設される開口切欠き部１７を先端部に有するツル１０が設けられる。勿論、前記開口切欠き部の所はメネジ部分が欠ける様になっている事は言うまでもない。次に前記筒状中空部１５に摺動可能に嵌合する筒体２０と、該筒体開口端部外周壁２１に立設され前記ツル先端部開口切欠き部１７に嵌合し、且つ、ヨロイ側二枚コマに回動可能に連結される一枚コマ２２を有する筒型摺動体２４が用意される。そして、前記ツル合口部内側入口部メネジ部１４に螺合可能にされるネジ付き固定子３１とその後方に連設され前記筒体内部に摺動可能に収納されバネストッパーともなり該固定子より小径となる摺動案内子３２とからなる固定部品３０が設けられる。そして、前記摺動案内子の後方に置かれ前記筒体内部に収納されるバネ４０（ここではコイルスプリング）が用意される。以上の様な機構から構成されている。【００１１】  そして図２は図１から組立てられ、図３は更にヨロイ側丁番と組み合わされた一部断面を有する平面図である。【００１２】  組立てる順番は、先ず筒体外周壁に立設されている一枚コマ２２をツル開口切欠き部１７に嵌め合わせ、ツル１０の筒状中空部１５に筒型摺動体２４の筒体２０を嵌合させる。そして一番奥まで挿入するとツル合口部メネジ部分１４が露出してくる。そして次に、筒体２０内側にバネ４０を入れる。この場合先にバネ４０を筒体２０内部に収納してからツルの筒状中空部に挿入してもどちらでも構わない。そして最後に固定部品３０をツル合口部メネジ部に螺合させる。【００１３】  そうして、筒型摺動体２４の開口端部と固定部品３０のネジ付き固定子３１の間の距離４２が摺動（スライド）可能な部分として残り、摺動案内子３２が筒型摺動子２４の筒体２０の内側のガイドとなる。又、収納されるバネ４０は、僅かに予備付勢された状態で筒体内部に収められる事は言うまでもない。【００１４】  次に図３は、更にヨロイ側５０丁番コマ５１にネジ５２で組立てられた一部断面図を有する平面図である。【００１５】  図４は、ツル１０を開いた状態から更に外側に拡げた場合であり、ツル１０が外側に回転し拡げられ、そして、筒型摺動体２４は一枚コマ２２と一体となっているのでネジ５２を中心として回転はするが前後には動かない状態で、ツル１０の方が僅かに後方に押される格好となり、筒型摺動体２４の筒体２０の外側をツルの筒状中空部１５が後方に摺動する事となる。そして、ツルの筒状中空部１５にネジ止めされているネジ付き固定子３１の後方に筒体２０開口先端部が衝突し停止する。そうして、筒体中のバネ４０は圧縮され、前記ツルが過開拡される。そしてバネ４０の弾性復元力により弾性的に戻る様にされる。【００１６】  図５は本発明の実施例の要部平面図であり、この場合は分解・組立ての方法を表している。先ずツル１０をレンズ側に折り畳む、そうすると、ツル合口部１１が自然と見えてくる、そうすると、ネジ頭溝６０も当然に見えてくる。そこをネジ回し道具だけで回すだけである。そうする���ネジ固定子が外れバネが出てくる。それだけで非常に簡単にバネの交換が可能となる。ネジ回し道具はどんな小売店でも用意されているし、家庭にも置いてある所も多い。
【産業上の利用可能性】
【００１７】  地場産業である眼鏡産業上の利用性は非常に多いと思われる。
【符号の説明】
【００１８】１０          ツル
１１          ツル合口部
１２          ツル内側
１３          ツル合口入口部
１４          メネジ部
１５          ツル筒状中空部
１６          ツル外周壁
１７          ツル開口切欠き部
２０          筒体
２１          筒体外周壁
２２          一枚コマ
２４          筒型摺動体
３０          固定部品
３１          ネジ付き固定子
３２          摺動案内子
４０          バネ
４２          スライド可能部分（距離）
５０          ヨロイ
５１          ヨロイ側コマ
５２          ネジ
６０          ネジ頭溝
ｈ            スライド距離
【図１】
2011175222.tif 000003
【図２】
2011175222.tif 000004
【図３】
2011175222.tif 000005
【図４】
2011175222.tif 000006
【図５】
2011175222.tif 000007
【図６】
2011175222.tif 000008
【図７】
2011175222.tif 000009